(57)【要約】【課題】  個々の記録媒体の特性に応じて情報の再生や記録を行えるようにする。【解決手段】  情報処理装置１は、個体情報記録エリアを有するミニディスク２からユニークＩＤを取得する。個々のミニディスク２の特性情報がネットワークサーバで管理される。情報処理装置１はユニークＩＤで特定されるミニディスク２に対応する特性情報をネットワークサーバから取得し、特性情報に応じてサーボ特性を最適化して情報の記録や再生を行う。【選択図】        図１
2005122840.tif 000002
【特許請求の範囲】
【請求項１】
着脱自在に装着される記録媒体に対して情報の記録または再生、あるいは情報の記録および再生を行う情報処理装置において、
個体情報が記録された個体情報記録エリアを有する記録媒体から前記個体情報を取得する取得手段と、
前記取得手段で取得した個体情報を使用して、前記記録媒体の特性に応じて情報の記録あるいは再生を行う制御手段と
を備えたことを特徴とする情報処理装置。
【請求項２】
前記個体情報は、前記記録媒体を識別する識別情報である
ことを特徴とする請求項１記載の情報処理装置。
【請求項３】
前記個体情報は、前記記録媒体を識別する識別情報と、前記記録媒体の特性を示す特性情報であり、前記制御手段は前記記録媒体から取得した前記特性情報を使用して前記記録媒体の特性に応じて情報の記録あるいは再生を行う
ことを特徴とする請求項１記載の情報処理装置。
【請求項４】
前記識別情報を外部へ通知する通知手段を備えた
ことを特徴とする請求項２記載の情報処理装置。
【請求項５】
前記制御手段は、前記識別情報で特定される記録媒体に対応する特性情報を外部より取得する
ことを特徴とする請求項４記載の情報処理装置。
【請求項６】
前記特性情報を記憶する記憶手段を備えた
ことを特徴とする請求項５記載の情報処理装置。
【請求項７】
前記制御手段は、前記識別情報で特定される前記特性情報を前記記憶手段から取得して、前記記録媒体の特性に応じて情報の記録あるいは再生を行う
ことを特徴とする請求項６記載の情報処理装置。
【請求項８】
前記記録媒体は光ディスクである
ことを特徴とする請求項１記載の情報処理装置。
【請求項９】
前記光ディスクにビームを照射する照射手段および前記ビームの反射光を受光する受光手段を備えた光学ピックアップと、
前記受光手段の出力から前記光学ピックアップを駆動するサーボ駆動手段とを備え、
前記制御手段は前記記録媒体の特性に応じて前記サーボ駆動手段を制御する
ことを特徴とする請求項８記載の情報処理装置。
【請求項１０】
着脱自在に装着される記録媒体に対して情報の記録または再生、あるいは情報の記録および再生を行う情報処理装置と、
少なくとも１台の前記情報処理装置とネットワークを介して接続される管理装置とを備えた情報管理システムにおいて、
前記情報処理装置は、
記録媒体を識別する識別情報が少なくとも記録される個体情報記録エリアを有する前記記録媒体から前記識別情報を取得する取得手段と、
前記取得手段で取得した識別情報を前記管理装置に通知する通知手段と、
前記管理装置より受けた特性情報から前記記録媒体の特性に応じて情報の記録あるいは再生を行う制御手段とを備え、
前記管理装置は、
前記個体情報記録エリアを有する記録媒体の特性情報を記憶する蓄積手段と、
前記情報処理装置から通知された識別情報によって特定される記録媒体に対応した特性情報を前記蓄積手段から取得し、該当情報処理装置に通知する管理手段とを備えた
ことを特徴とする情報管理システム。
【請求項１１】
前記情報処理装置は、前記特性情報を記憶する記憶手段を備えた
ことを特徴とする請求項１０記載の情報管理システム。
【請求項１２】
前記記憶手段は、前記管理装置から取得した特性情報を記憶する
ことを特徴とする請求項１１記載の情報管理システム。
【請求項１３】
前記制御手段は、前記取得手段で取得した識別情報で特定される特性情報を前記記憶手段から取得する
ことを特徴とする請求項１２記載の情報管理システム。
【請求項１４】
前記個体情報記録エリアに前記記録媒体の特性情報が記録され、前記制御手段は前記取得手段により前記記録媒体から取得した特性情報か、前記管理装置から取得した特性情報を選択して使用する
ことを特徴とする請求項１０記載の情報管理システム。
【請求項１５】
前記記録媒体は光ディスクである
ことを特徴とする請求項１０記載の情報管理システム。
【請求項１６】
前記情報処理装置は、
前記光ディスクにビームを照射する照射手段および前記ビームの反射光を受光する受光手段を備えた光学ピックアップと、
前記受光手段の出力から前記光学ピックアップを駆動するサーボ駆動手段とを備え、
前記制御手段は前記記録媒体の特性に応じて前記サーボ駆動手段を制御する
ことを特徴とする請求項１５記載の情報管理システム。
【請求項１７】
少なくとも固有の識別符号からなる識別情報と、製造時の特性を示す特性情報を記録する個体情報記録エリアを備えた
ことを特徴とする光ディスク。
【請求項１８】
前記個体情報記録エリアは書き換え不可に情報が記録される
ことを特徴とする請求項１７記載の光ディスク。
【請求項１９】
前記特性情報は、少なくとも光学的特性を特定する情報である
ことを特徴とする請求項１７記載の光ディスク。
【請求項２０】
前記特性情報は、形成上の特性を特定する情報である
ことを特徴とする請求項１９記載の光ディスク。
【請求項２１】
前記特性情報は、温度特性を特定する情報である
ことを特徴とする請求項１９記載の光ディスク。
【発明の詳細な説明】
【技術分野】
【０００１】
本発明は、着脱自在に装着される記録媒体に対して情報の記録や再生を行う情報処理装置、この情報処理装置が組み込まれた情報管理システムおよび記録媒体である光ディスクに関する。詳しくは、記録媒体の特性情報を取得できるようにすることで、記録媒体の特性に応じて情報の記録や再生の制御を行えるようにしたものである。
【背景技術】
【０００２】
記録媒体として使用される光ディスク、特に情報の記録と再生が行えるミニディスク（ＭＤ）には、記録時に要求されるレーザパワーを特定する情報が記録されている。光ディスクに対して情報を記録する装置では、このレーザパワーを特定する情報を取得することで、光ディスクに情報を記録するときに、確実に情報を書き込めるようになっている（例えば、引用文献１参照。）。
【０００３】
【特許文献１】特開平０５−２９０３８３号公報
【発明の開示】
【発明が解決しようとする課題】
【０００４】
従来の光ディスクを再生あるいは記録する装置では、各ディスクの識別管理が出来ないため、セットされるディスクの特性に応じてサーボ動作を最適化する等の制御は行えなかった。そのため、以下のような問題が生じていた。
【０００５】
１．いろいろな特性を有する全ての光ディスクに対して情報の再生や記録を行えるようにするため、ディスク特性上平均的なスペックにサーボ特性を合わせる必要があった。そのため、一定の規格に基づき製造される光ディスクにおいて、規格の上限や下限に近い特性を有する光ディスクに対するプレイアビリティが悪い。
２．フォーマット上で許されているディスクの諸特性すべてを考慮したサーボシステムを構築する必要があることから、開発コストが高くなる。
３．フォーマット上で許されているディスクの諸特性すべてを考慮したサーボシステムをハードウエアで構築する必要があることから、部品点数が多くなることで商品コストが高くなる。
４．部品点数が多くなることで、装置の軽量化、小型化が困難である。
５．フォーマット上で許されているディスクの諸特性すべてを考慮したサーボシステムを構築する必要があることから、製造時における調整の時間が長くなり、製造コストが高くなる。
６．ディスクの平均的なスペックで消費電力が決まることから、ロスが多くなり消費電力が増加する。
７．ディスクの平均的な温度特性に依存して情報処理装置の動作保証温度範囲が限定される。
【０００６】
本発明は、このような課題を解決するためになされたもので、記録媒体の特性に応じて情報の記録や再生が行える情報処理装置、情報管理システムおよび光ディスクを提供することを目的とする。
【課題を解決するための手段】
【０００７】
上述した課題を解決するため、本発明に係る情報処理装置は、着脱自在に装着される記録媒体に対して情報の記録または再生、あるいは情報の記録および再生を行う情報処理装置において、個体情報が記録された個体情報記録エリアを有する記録媒体から個体情報を取得する取得手段と、取得手段で取得した個体情報を使用して、記録媒体の特性に応じて情報の記録あるいは再生を行う制御手段とを備えたものである。
【０００８】
本発明に係る情報処理装置によれば、記録媒体に対して情報の記録あるいは再生を行う際に、取得手段は記録媒体の個体情報記録エリアから個体情報を取得する。制御手段は記録媒体から取得した個体情報を使用し、記録媒体の特性に応じた制御を行って情報の記録あるいは再生を行う。
【０００９】
本発明に係る情報管理システムは、着脱自在に装着される記録媒体に対して情報の記録または再生、あるいは情報の記録および再生を行う情報処理装置と、少なくとも１台の情報処理装置とネットワークを介して接続される管理装置とを備えた情報管理システムにおいて、情報処理装置は、記録媒体を識別する識別情報が少なくとも記録される個体情報記録エリアを有する記録媒体から識別情報を取得する取得手段と、取得手段で取得した識別情報を管理装置に通知する通知手段と、管理装置より受けた特性情報から記録媒体の特性に応じて情報の記録あるいは再生を行う制御手段とを備え、管理装置は、個体情報記録エリアを有する記録媒体の特性情報を記憶する蓄積手段と、情報処理装置から通知された識別情報によって特定される記録媒体に対応した特性情報を蓄積手段から取得し、該当情報処理装置に通知する管理手段とを備えたものである。
【００１０】
本発明に係る情報管理システムによれば、情報処理装置で記録媒体に対して情報の記録あるいは再生を行う際に、取得手段で記録媒体の個体情報記録エリアから識別情報を取得する。制御手段は記録媒体から取得した識別情報を管理装置へ通知する。
【００１１】
管理装置では、情報処理装置から通知された識別情報によって特定される記録媒体に対応した特性情報を、蓄積手段に記憶されている特性情報から取得し、該当情報処理装置に通知する。情報処理装置では、制御手段は管理装置から取得した特性情報を使用し、記録媒体の特性に応じた制御を行って情報の記録あるいは再生を行う。
【００１２】
本発明に係る光ディスクは、少なくとも固有の識別符号からなる識別情報と、製造時の特性を示す特性情報を記録する個体情報記録エリアを備えたものである。
【００１３】
本発明に係る光ディスクによれば、個体情報記録エリアに記録した特性情報が読み出され、特性に応じた制御で情報の記録あるいは再生が行われる。
【発明の効果】
【００１４】
本発明に係る情報処理装置および情報管理システムでは、光ディスクに識別情報や特性情報を記録することで、個々のディスクの特性に応じて情報の記録や再生が行えることから、以下に示す効果が得られる。
【００１５】
１．プレイアビリティを向上させることができる。
２．制御上のロスが減り、消費電力を削減できる。
３．ディスク毎における消費電力のばらつきを抑えることができる。
４．ハードウエアとして全てのディスクに適応できるように設計する必要が無くなることから、部品点数を削減でき、部品コストおよび開発コストを抑えることができる。
５．部品点数を削減できることから機器の軽量化、小型化を実現できる。
６．情報の再生／記録時にディスク毎に最適化するので、出荷時の調整が不要になり、製造時間の短縮、製造コストの削減が可能になる。
７．ディスクの温度特性に対してソフトウエアで動作を最適化できることから、動作保証温度範囲を広げることができる。
【発明を実施するための最良の形態】
【００１６】
以下、図面を参照して本発明の情報処理装置、情報管理システムおよび光ディスクの実施の形態を説明する。図１は本実施の形態の情報処理装置の構成例を示すブロック図である。本実施の形態の情報処理装置１は、記録媒体として光ディスクの一種であるミニディスク（ＭＤ）を用い、音声や映像等の再生および記録を行う装置で、例えば据え置き型のオーディオ機器、ゲーム機器や記録装置、ポータブル型の音響機器等であり、ミニディスク２は装置に対して着脱自在な構成である。情報処理装置１は従来からのミニディスクに加えて、個々のディスクを識別する識別情報や、ディスクの特性情報等の個体情報を記録するエリアを設けたミニディスクの処理を行う。
【００１７】
図２は個体情報を記録するエリアを有するミニディスク２の構成例を示す概略図である。ミニディスク２は光磁気ディスク２ａをカートリッジ２ｂに収納したもので、光磁気ディスク２ａのインフォメーションエリアの最内周に個体情報を記録する個体情報記録エリア２ｃを有する。個体情報記録エリア２ｃは書き換え不可に情報が記録され、個体情報として、ディスクを特定するユニークＩＤ、ロット番号、製造年月日等の識別情報と、製造時の特性情報が製造時に記録される。ユニークＩＤは各ディスク固有の識別符号が割り当てられ、個々のミニディスク２を識別できる。特性情報はディスク形成上の特性、光学特性、膜特性、再生／記録特性、温度特性、最適パワー特性等である。ここで、個体情報記録エリア２ｃに記録できる情報量と、特性情報の情報量の関係から、例示した特性情報の中から選択的に特性情報が記録される場合もある。個体情報は図１に示す情報処理装置１で読み出され利用することができる。なお、個体情報記録エリア２ｃの外側には、従来からのミニディスクと同様にリードインエリア等が設けられる。
【００１８】
図１に戻り、情報処理装置１は光学ピックアップ３と磁気ヘッド４を備える。光学ピックアップ３と磁気ヘッド４はミニディスク２を挟んで対向配置される。光学ピックアップ３は例えば周知の構成を有するもので、照射手段を構成するレーザダイオードから出射したビームを回折格子によりメインビームと２つのサブビームに３分割してミニディスク２に照射し、ミニディスク２で反射したビームをウォラストンプリズムにより３分割して計９ビームを生成し、受光手段を構成するフォトディテクタで受光する。
【００１９】
図３は一般的なフォトディテクタの構成例を示す概略図である。フォトディテクタ３ａはＡ，Ｂ，Ｃ，Ｄの４分割フォトディテクタと、４分割フォトディテクタの周囲に配されるＥ，Ｆ，Ｉ，Ｊの４個のフォトディテクタから構成される。フォーカスサーボ用にはフォトディテクタＡ，Ｂ，Ｃ，Ｄの出力が使用され、トラッキングサーボ用にはフォトディテクタＥ，Ｆの出力が使用される。また、ミニディスク２の信号検出にはフォトディテクタＩ，Ｊの出力が使用される。
【００２０】
図１に戻り、光学ピックアップ３の出力はＲＦ信号処理回路５に入力される。ＲＦ信号処理回路５は、光学ピックアップ３の出力からＲＦ信号、光量信号（ＡＢＣＤ）、フォーカスエラー信号（ＦＥ）、トラッキングエラー信号（ＴＥ）、ＡＤＩＰ信号等を得る。なお、ミニディスク２ではグルーブをウォブリングさせてアドレスが形成されており、これをＡＤＩＰ（Address In Pregroove）と呼ぶ。ＡＤＩＰ信号はアクセス時のアドレスとして使用される。また、後述するスピンドルモータのＣＬＶ（線速度一定）制御用に使用される。
【００２１】
ＲＦ信号処理回路５から出力されるＡＤＩＰ信号から、ＡＤＩＰ  ＰＬＬ（Phase Locked Loop）６でクロックが生成される。また、ＲＦ信号処理回路５から出力されるＲＦ信号から、ＥＦＭ（Eight to Fourteen Modulation）ＰＬＬ７でクロックが生成される。ＡＤＩＰ  ＰＬＬ６およびＥＦＭ  ＰＬＬ７の出力はミニディスク２の種類に応じて選択的にスピンドルサーボ回路８に入力される。スピンドルサーボ回路８はミニディスク２の種類に応じてＡＤＩＰ信号あるいはＥＦＭ変調されているＲＦ信号からのクロックを使用してミニディスクを回転駆動するスピンドルモータ９のＣＬＶ制御を行う。
【００２２】
ＲＦ信号処理回路５から出力されるフォーカスエラー信号等のサーボ信号はサーボ回路１０に入力される。サーボ回路１０はサーボ駆動手段を構成し、フォーカスエラー信号を使用して光学ピックアップ３の図示しないフォーカス駆動機構を駆動し、ミニディスク２にビームの焦点に合わせる。また、サーボ回路１０はトラッキングエラー信号を使用して光学ピックアップ３の図示しないトラッキング駆動機構を駆動し、ミニディスク２のトラックにビームを追従させる。さらに、スレッドモータ１１を駆動して、光学ピックアップ３をミニディスク２の径方向に移動させる。また、図示しないレーザダイオードの出力を調整する。
【００２３】
ＥＦＭ／ＡＣＩＲＣデコーダ／エンコーダ１２は、ミニディスク２に記録されている情報の再生時には、ＥＦＭのデコード、ＡＣＩＲＣのデコードおよびＡＤＩＰのデコード等を行う。また、情報の記録時には、ＡＣＩＲＣのエンコード、ＥＦＭのエンコード等を行う。なお、ＡＣＩＲＣ（Advanced Cross Interleave Read Solomon Code）はミニディスクで用いられる誤り訂正符号である。情報の記録時には、ＥＦＭ／ＡＣＩＲＣデコーダ／エンコーダ１２で生成された信号はヘッドアンプ１３へ入力され、磁気ヘッド４を駆動してミニディスク２への書き込みが行われる。
【００２４】
ＤＲＡＭコントローラ１４は、ミニディスク２から読み出した信号およびミニディスク２へ記録する信号等のＤＲＡＭ（Dynamic Random Access Memory)１５への書き込みおよび読み出しを行う。
【００２５】
ＡＴＲＡＣデコーダ／エンコーダ１６は、情報の再生時にはＤＲＡＭコントローラ１４を介してＥＦＭ／ＡＣＩＲＣデコーダ／エンコーダ１２から出力された信号のデコードを行う。また、情報の記録時には、ＤＲＡＭコントローラ１４を介してＥＦＭ／ＡＣＩＲＣデコーダ／エンコーダ１２へ出力する信号のエンコードを行う。なお、ＡＴＲＡＣ（Adaptive Transform Acoustic Coding）は、ミニディスクで用いられる圧縮方式である。
【００２６】
ＡＤ／ＤＡコンバータ１７は、情報の再生時には、ＡＴＲＡＣデコーダ／エンコーダ１６から出力されるデジタル信号をアナログ信号に変換して出力端子１８ａに出力する。また、情報の記録時には、入力端子１８ｂから入力されたアナログ信号をデジタル信号に変換して、ＡＴＲＡＣデコーダ／エンコーダ１６へ出力する。
【００２７】
システムコントローラ１９はユーザの操作を受けて情報処理装置１の制御を行うマイクロコンピュータで、本実施の形態では取得手段および制御手段としても機能する。システムコントローラ１９はサーボ回路１０、ＥＦＭ／ＡＣＩＲＣデコーダ／エンコーダ１２およびＤＲＡＭコントローラ１４と接続される。システムコントローラ１９は、ミニディスク２がセットされると、このミニディスク２から個体情報を読み出し、ＤＲＡＭコントローラ１４を介してＤＲＡＭ１５に書き込む。システムコントローラ１９は、ミニディスク２から取得した個体情報に応じて、光学ピックアップ３のビーム出力やサーボ特性を、該当ミニディスク２に対して最適となるように調整する。ここで、ミニディスク２に個体情報として識別情報と特性情報が記録されている場合は、システムコントローラ１９はミニディスク２から取得した特性情報を用いてサーボ特性等を調整する。これに対して、後述するように特性情報を外部より取得する場合は、システムコントローラ１９はミニディスク２から取得した識別情報で特定される特性情報を外部より取得してサーボ特性等を調整する。
【００２８】
ＤＲＡＭ１５はミニディスク２から再生する情報およびミニディスク２へ記録する情報を一時記憶して音飛び等を防ぐ機能を構成するが、本実施の形態では個体情報の記憶手段としても機能する。なお、個体情報を記憶する記憶手段として不揮発性のメモリを別に設けてもよいが、ＤＲＡＭ１５を共用することでコストを抑えることができる。
【００２９】
情報処理装置１は単体で用いられる構成でも良いが、外部機器と接続できる構成でも良い。例えば、情報処理装置１をパーソナルコンピュータ（ＰＣ）２０を介してネットワークと接続する構成として、システムコントローラ１９とともに通知手段を構成するＵＳＢ（Universal Serial Bus）インターフェース２１を情報処理装置１に備える。
【００３０】
次に、上述した情報処理装置１が組み込まれた情報管理システムについて説明する。図４は本実施の形態の情報管理システムの構成例を示すブロック図である。パーソナルコンピュータ２０がインターネット等のネットワーク２２と接続できる構成を有することで、情報処理装置１はパーソナルコンピュータ２０を介してネットワーク２２と接続される。ネットワーク２２にはネットワークサーバ２３が接続され、情報処理装置１はネットワークサーバ２３から音楽等のダウンロードを行う。
【００３１】
本実施の形態の情報管理システム２４では、ネットワークサーバ２３は管理装置としても機能する。ネットワークサーバ２３では、ミニディスク２の製造業者等から取得したミニディスク２の製造時の特性情報が、蓄積手段を構成する記憶部２５に保存される。管理手段を構成する図示しないコントローラは、ネットワーク２２を介して接続された情報処理装置１からの要求により記憶部２５から特性情報を取得し、情報処理装置１へ送る。これにより、情報処理装置１は使用するミニディスク２に対応した特性情報をネットワークサーバ２３から取得する。
【００３２】
なお、図１に示す情報処理装置１はＵＳＢインターフェース２１を備えてパーソナルコンピュータ２０を介してネットワーク２２と接続する構成としたが、情報処理装置１にネットワーク２２と直接接続できるインターフェースが備えられていてもよい。また、図示しないがパーソナルコンピュータ２０に情報処理装置１が組み込まれている構成でもよい。
【００３３】
図５〜図８は情報管理システムの動作例を示すフローチャートで、以下に情報処理装置１および情報管理システム２４の動作を説明する。まず、図５を用いてディスクの製造工程から説明する。ミニディスク２の製造業者は、ミニディスク２を製造すると（ステップＳＡ１）、ディスクの諸特性を測定する（ステップＳＡ２）。なお、ディスクの特性は同一ロットで製造されたディスクでは類似した特性となることから、例えばロット単位で諸特性を測定する。測定した特性情報と、ディスク毎に固有の符号であるユニークＩＤ等の識別情報を図２に示す個体情報記録エリア２ｃに記録する（ステップＳＡ３）。
【００３４】
また、特性情報をユニークＩＤで検索できるようにネットワークサーバ２３の記憶部２５に保存する（ステップＳＡ４）。そして、このようにして製造したミニディスク２を製品として出荷する（ステップＳＡ５）。
【００３５】
次に、ミニディスク２の記録／再生動作について説明する。図６は記録／再生動作の第１の実施の形態を示し、特性情報をミニディスク２から取得する動作例である。
【００３６】
情報処理装置１ではディスクがセットされると（ステップＳＢ１）、システムコントローラ１９はスピンドルサーボ回路８およびサーボ回路１０等を制御してディスクの最内周を読み取り、個体情報記録エリア２ｃの有無を判断する（ステップＳＢ２）。ステップＳＢ２で、セットされたディスクが個体情報記録エリアを有さないディスクであると判断すると、ＴＯＣ（Table Of Contents）等を読み取り、従前からの処理で情報の記録あるいは情報の再生を行う（ステップＳＢ３）。
【００３７】
ステップＳＢ２で、セットされたディスクが個体情報記録エリア２ｃを有するミニディスク２であると判断すると、システムコントローラ１９はミニディスク２からユニークＩＤおよび特性情報を読み出し、ＤＲＡＭコントローラ１４によりＤＲＡＭ１５に保存することで、ミニディスク２からユニークＩＤと特性情報を取得する（ステップＳＢ４，ＳＢ５）。
【００３８】
システムコントローラ１９は、ミニディスク２から取得した特性情報を使用してビーム出力やサーボ特性を調整して、ミニディスク２に対して情報の記録あるいは情報の再生を行う（ステップＳＢ６，ＳＢ７）。
【００３９】
すなわち、システムコントローラ１９は、ミニディスク２から取得した特性情報より例えばミニディスク２の光学的な特性を特定し、ミニディスク２の反射率が高い場合等では、ビーム出力を低下させて情報を記録する制御を行うことが可能となる。また、ミニディスク２の形成上の特性を特定すれば、トラッキングやフォーカスサーボの特性をディスクに合わせて制御することが可能となる。さらに、ミニディスク２の温度特性を特定すれば、一時的に情報処理装置１の温度が上昇するような場合に、エラーとせずに動作を続行させることが可能となる。
【００４０】
図７は記録／再生動作の第２の実施の形態を示し、特性情報をネットワークサーバ２３から取得する動作例である。ミニディスク２がセットされると（ステップＳＣ１）、システムコントローラ１９はスピンドルサーボ回路８およびサーボ回路１０等を制御してディスクの最内周を読み取り、個体情報記録エリア２ｃの有無を判断する（ステップＳＣ２）。ステップＳＣ２で、セットされたディスクが個体情報記録エリアを有さないディスクであると判断すると、ＴＯＣ等を読み取り、従前からの処理で情報の記録あるいは情報の再生を行う（ステップＳＣ３）。
【００４１】
ステップＳＣ２で、セットされたディスクが個体情報記録エリア２ｃを有するミニディスク２であると判断すると、システムコントローラ１９はミニディスク２からユニークＩＤを読み出し、ＤＲＡＭコントローラ１４によりＤＲＡＭ１５に保存することで、ミニディスク２からユニークＩＤを取得する（ステップＳＣ４）。
【００４２】
システムコントローラ１９は、ミニディスク２から取得したユニークＩＤで特定される特性情報がＤＲＡＭ１５に保存されているか検索する（ステップＳＣ５）。ステップＳＣ５で、ＤＲＡＭ１５に該当する特性情報が保存されていない場合は、システムコントローラ１９はミニディスク２から取得したユニークＩＤをＵＳＢインターフェース２１およびパーソナルコンピュータ２０を介してネットワークサーバ２３に送る（ステップＳＣ６）。ネットワークサーバ２３は、情報処理装置１から受けたユニークＩＤで特定されるミニディスク２に該当する特性情報を記憶部２５から取得し、情報処理装置１に送信する。システムコントローラ１９は、ネットワークサーバ２３から特性情報を取得し、この特性情報をＤＲＡＭ１５に保存する（ステップＳＣ７，ＳＣ８）。
【００４３】
そして、システムコントローラ１９は、ネットワークサーバ２３から取得した特性情報を使用してビーム出力やサーボ特性を調整して、ミニディスク２に対して情報の記録あるいは情報の再生を行う（ステップＳＣ９，ＳＣ１０）。
【００４４】
ＤＲＡＭ１５に保存した特性情報を消去せずに保持すれば、情報処理装置１をネットワーク２２に接続せずにローカルな環境で使用する場合等でも、特性情報を使用できることになる。すなわち、ステップＳＣ５において、ミニディスク２から取得したユニークＩＤで特定される特性情報がＤＲＡＭ１５に保存されているか検索し、該当する特性情報が保存されている場合は、このＤＲＡＭ１５に保存されている特性情報を使用してビーム出力やサーボ特性を調整して、ミニディスク２に対して情報の記録あるいは情報の再生を行う（ステップＳＣ９，ＳＣ１０）。
【００４５】
図８は記録／再生動作の第３の実施の形態を示し、特性情報をミニディスク２かネットワークサーバ２３から選択的に取得する動作例である。情報処理装置１ではディスクがセットされると（ステップＳＤ１）、システムコントローラ１９はスピンドルサーボ回路８およびサーボ回路１０等を制御してディスクの最内周を読み取り、個体情報記録エリア２ｃの有無を判断する（ステップＳＤ２）。ステップＳＤ２で、セットされたディスクが個体情報記録エリアを有さないディスクであると判断すると、ＴＯＣ等を読み取り、従前からの処理で情報の記録あるいは情報の再生を行う（ステップＳＤ３）。
【００４６】
ステップＳＤ２で、セットされたディスクが個体情報記録エリア２ｃを有するミニディスク２であると判断すると、システムコントローラ１９はミニディスク２からユニークＩＤを読み出し、ＤＲＡＭコントローラ１４によりＤＲＡＭ１５に保存することで、ミニディスク２からユニークＩＤを取得する（ステップＳＤ４）。
【００４７】
情報処理装置１がネットワークサーバ２３に接続されていない場合は（ステップＳＤ５）、システムコントローラ１９はミニディスク２から特性情報を取得する（ステップＳＤ６）。システムコントローラ１９は、ミニディスク２から取得した特性情報を使用してビーム出力やサーボ特性を調整して、ミニディスク２に対して情報の記録あるいは情報の再生を行う（ステップＳＤ７，ＳＤ８）。
【００４８】
ステップＳＤ５で情報処理装置１がネットワークサーバ２３と接続されている場合は、システムコントローラ１９はＤＲＡＭ１５に保存したユニークＩＤをネットワークサーバ２３に送る（ステップＳＤ９）。ネットワークサーバ２３は、情報処理装置１から受けたユニークＩＤで特定されるミニディスク２に該当する特性情報を記憶部２５から取得し、情報処理装置１に送信する。システムコントローラ１９は、ネットワークサーバ２３から特性情報を取得し、この特性情報をＤＲＡＭ１５に保存する（ステップＳＤ１０，ＳＤ１１）。
【００４９】
そして、システムコントローラ１９は、ネットワークサーバ２３から取得した特性情報を使用してビーム出力やサーボ特性を調整して、ミニディスク２に対して情報の記録あるいは情報の再生を行う（ステップＳＤ１２，ＳＤ８）。
【００５０】
上述した第３の実施の形態では、ミニディスク２には例えば最低限の特性情報を記録しておき、情報処理装置１がローカルで使用される場合は、ミニディスク２に記録された特性情報を使用してサーボ動作の最適化を図る。情報処理装置１がネットワーク２２に接続されて使用される場合は、ネットワークサーバ２３に記録された特性情報を使用してサーボ動作の最適化を図る。ミニディスク２にはユニークＩＤが記録されて個々のディスクを識別できることから、情報の記録あるいは再生を行うミニディスク２に対応した特性情報をネットワークサーバから取得できる。そして、ネットワークサーバ２３では大容量のデータを保存できることから、より多くの情報を用いてサーボ動作の最適化が図れることになる。
【００５１】
また、上述した第２，第３の実施の形態では、ユニークＩＤでミニディスク２を特定して特性情報を検索したが、ディスクの諸特性は製造時の各ロットにおいて似たような特性を持つので、ネットワークサーバ２３に各ロットにおける特性情報を蓄積しておき、また各ミニディスク２の個体情報記録エリア２ｃには製造時のロット番号を記録しておく。ミニディスク２を再生／記録する際、情報処理装置１がこのディスクのロット毎の特性情報をネットワークサーバ２３からダウンロードして取得し、この取得した特性情報を使ってサーボ動作を最適化する。このようにロット毎の特性情報でサーボ動作を最適化しても、諸特性を向上させることができる。
【産業上の利用可能性】
【００５２】
ミニディスクにユニークＩＤのような固有の識別情報を記録することで、ディスク毎の特性情報が取得できるようになり、諸特性が向上する情報処理装置となる。
【図面の簡単な説明】
【００５３】
【図１】本実施の形態の情報処理装置の構成例を示すブロック図である。
【図２】識別情報を有するミニディスクの構成例を示す概略図である。
【図３】一般的なフォトディテクタの構成例を示す概略図である。
【図４】情報管理システムの構成例を示すブロック図である。
【図５】情報管理システムの動作例を示すフローチャートである。
【図６】情報管理システムの動作例を示すフローチャートである。
【図７】情報管理システムの動作例を示すフローチャートである。
【図８】情報管理システムの動作例を示すフローチャートである。
【符号の説明】
【００５４】
１・・・情報処理装置、２・・・ミニディスク、３・・・光学ピックアップ、４・・・磁気ヘッド、５・・・ＲＦ信号処理回路、６・・・ＡＤＩＰ  ＰＬＬ、７・・・ＥＦＭ  ＰＬＬ、８・・・スピンドルサーボ回路、９・・・スピンドルモータ、１０・・・サーボ回路、１１・・・スレッドモータ、１２・・・ＥＦＭ／ＡＣＩＲＣデコーダ／エンコーダ、１３・・・ヘッドアンプ、１４・・・ＤＲＡＭコントローラ、１５・・・ＤＲＡＭ、１６・・・ＡＴＲＡＣデコーダ／エンコーダ、１７・・・ＡＤ／ＤＡコンバータ、１８ａ・・・出力端子、１８ｂ・・・入力端子、１９・・・システムコントローラ、２０・・・パーソナルコンピュータ、２１・・・ＵＳＢインターフェース、２２・・・ネットワーク、２３・・・ネットワークサーバ、２４・・・情報管理システム、２５・・・記憶部
【図１】
2005122840.tif 000003
【図２】
2005122840.tif 000004
【図３】
2005122840.tif 000005
【図４】
2005122840.tif 000006
【図５】
2005122840.tif 000007
【図６】
2005122840.tif 000008
【図７】
2005122840.tif 000009
【図８】
2005122840.tif 000010